(57)【特許請求の範囲】
【請求項１】
注射針本体と、該注射針本体の基端部を支持する基部と、該基部から左右両側方に突出して持ち手として機能する羽根部とを備える羽根付き注射針であって、
ヒンジ部を介して折り畳み自在な板状部材を用いて構成され、折り畳み状態では、基部から左右両側方に突出して持ち手として機能する一方、展開状態では、基部から注射針本体に沿って注射針先端側に延出して注射針本体を覆う安全カバーとして機能する羽根部と、
羽根部の展開操作時に、注射針本体を羽根部に対して後退させる注射針後退手段とを備え、
羽根部は、基部に外嵌する筒部と、筒部の前端部に第１ヒンジ部を介して折り曲げ自在に連結される第１板部と、該第１板部の先端部に第２ヒンジ部を介して折り曲げ自在に連結される第２板部と、該第２板部の先端部に第３ヒンジ部を介して折り曲げ自在に連結される先端板部とを備え、第１ヒンジ部を谷折り、第２ヒンジ部を山折り、第３ヒンジ部を谷折りとすることにより、第１板部及び第２板部が前後に重なり合った折り畳み状態で基部から左右両側方に突出して持ち手として機能する一方、すべてのヒンジ部を直線的に展開させた展開状態では、第１板部及び第２板部が基部から注射針本体に沿って注射針先端側に延出して注射針本体を覆う安全カバーとして機能し、
注射針後退手段は、羽根部の筒部で基部を後退方向にスライド自在に支持するスライド支持部と、基部を後退方向に付勢するバネと、基部を非後退位置に係合保持する係合部とを備え、該係合部の係合解除に応じて基部及び注射針本体を羽根部の筒部に対して後退させることを特徴とする羽根付き注射針。
【発明の詳細な説明】
【技術分野】
【０００１】
本発明は、硬膜外麻酔などに用いられる羽根付き注射針の技術分野に関するものである。
【背景技術】
【０００２】
硬膜外麻酔などに用いられる羽根付き注射針が知られている（例えば、特許文献１参照）。この種の羽根付き注射針は、注射針本体と、該注射針本体の基端部を支持する基部と、該基部から左右両側方に突出する羽根部とを備えて構成されており、使用時に左右の羽根部を持ち手とすることで、安定した穿刺操作が可能になる。
【０００３】
ところで、使用済みの注射針は、そのまま破棄すると、廃棄物を処理する際に針先が人体に刺さり、感染等の問題を引き起すおそれがあるため、使用後は、鞘状の安全カバー（キャップ）で注射針を被覆してから破棄することが奨励されているが、硬膜外麻酔などに用いられる注射針は、注射針本体の長さが通常の注射針に比べて長いことから、医療関係者（医者、看護士など）が鞘状の安全カバーを注射針の先端に被せる際、誤って指に注射針を刺すおそれがある。
【０００４】
そこで、注射針の長さ方向に伸縮自在な管状体（入れ子式、又は蛇腹式）で構成され、その一端には蓋部が形成され、他端は注射針の基部に取付けられた安全カバーが提案されている（例えば、特許文献２参照）。このような安全カバーによれば、注射針の基部側からの伸長操作によって注射針を被覆することができるので、注射針を被覆する際に誤って指に注射針を刺してしまうような問題を解消することができる。
【先行技術文献】
【特許文献】
【０００５】
【特許文献１】特開平１０−３０５１０１号公報
【特許文献２】特開２００３−１６４５２５号公報
【発明の概要】
【発明が解決しようとする課題】
【０００６】
しかしながら、羽根付き注射針において、特許文献２のような安全カバーを設けた場合、注射針の基部構造が複雑になるだけでなく、羽根部を持ち手とする際に安全カバーが邪魔になったり、逆に、安全カバーを伸長操作する際に羽根部が邪魔になる等の問題があった。
【課題を解決するための手段】
【０００７】
本発明は、上記の如き実情に鑑みこれらの課題を解決することを目的として創作されたものであって、請求項１の発明は、注射針本体と、該注射針本体の基端部を支持する基部と、該基部から左右両側方に突出して持ち手として機能する羽根部とを備える羽根付き注射針であって、ヒンジ部を介して折り畳み自在な板状部材を用いて構成され、折り畳み状態では、基部から左右両側方に突出して持ち手として機能する一方、展開状態では、基部から注射針本体に沿って注射針先端側に延出して注射針本体を覆う安全カバーとして機能する羽根部と、羽根部の展開操作時に、注射針本体を羽根部に対して後退させる注射針後退手段とを備え、羽根部は、基部に外嵌する筒部と、筒部の前端部に第１ヒンジ部を介して折り曲げ自在に連結される第１板部と、該第１板部の先端部に第２ヒンジ部を介して折り曲げ自在に連結される第２板部と、該第２板部の先端部に第３ヒンジ部を介して折り曲げ自在に連結される先端板部とを備え、第１ヒンジ部を谷折り、第２ヒンジ部を山折り、第３ヒンジ部を谷折りとすることにより、第１板部及び第２板部が前後に重なり合った折り畳み状態で基部から左右両側方に突出して持ち手として機能する一方、すべてのヒンジ部を直線的に展開させた展開状態では、第１板部及び第２板部が基部から注射針本体に沿って注射針先端側に延出して注射針本体を覆う安全カバーとして機能し、注射針後退手段は、羽根部の筒部で基部を後退方向にスライド自在に支持するスライド支持部と、基部を後退方向に付勢するバネと、基部を非後退位置に係合保持する係合部とを備え、該係合部の係合解除に応じて基部及び注射針本体を羽根部の筒部に対して後退させることを特徴とする。
【発明の効果】
【０００８】
請求項１の発明によれば、本来、持ち手として機能する羽根部を安全カバーとしても機能させるので、別途安全カバーを設ける場合に比べ、構造の簡略化や部品点数の削減が図れるだけでなく、羽根部と安全カバーが互いの操作を邪魔するような不都合も解消することができる。
また、請求項１の発明によれば、羽根部の展開操作時に、注射針本体を羽根部に対して相対的に後退させる注射針後退手段を備えるので、安全カバー（羽根部）で覆うべき注射針本体の実質的な長さを短くすることができ、その結果、羽根部を安全カバーに兼用するにあたり、羽根部の大型化を回避できる。
また、請求項１の発明によれば、係合部の係合解除に応じて基部及び注射針本体をバネの付勢力で後退させるので、基部及び注射針本体の後退操作が不要になり、羽根部を安全カバーとして使用する際の操作が簡略になる。
【図面の簡単な説明】
【０００９】
【図１】（Ａ）は羽根部を折り畳んだ状態の羽根付き注射針を示す平面断面図、（Ｂ）は折り畳んだ状態の羽根部を示す正面図である。
【図２】羽根部を展開させた状態の羽根付き注射針を示す平面断面図である。
【発明を実施するための形態】
【００１０】
以下、本発明の実施の形態について、図面に基づいて説明する。図面において、１は硬膜外麻酔などに用いられる羽根付き注射針であって、該羽根付き注射針１は、注射針本体２と、該注射針本体２の基端部を支持する基部３と、該基部３から左右両側方に突出して持ち手として機能する羽根部４とを備える。基部３の後端部には、ルアーテーパー状のシリンジ接続口３ａが形成されており、ここに図示しないシリンジを接続すれば、注射針本体２を介してシリンジ内の薬剤を人体に注入することが可能になる。
【００１１】
左右の羽根部４は、それぞれ、ヒンジ部４ａ、４ｂ、４ｃを介して折り畳み自在な板状部材を用いて構成されている。例えば、本実施形態の羽根部４は、基部３に外嵌する筒部４ｄと、筒部４ｄの前端部に第１ヒンジ部４ａを介して折り曲げ自在に連結される第１板部４ｅと、該第１板部４ｅの先端部に第２ヒンジ部４ｂを介して折り曲げ自在に連結される第２板部４ｆと、該第２板部４ｆの先端部に第３ヒンジ部４ｃを介して折り曲げ自在に連結される先端板部４ｇとを備える。
【００１２】
このように構成された羽根部４によれば、図１に示す折り畳み状態では、基部３から左右両側方に突出して持ち手として機能する一方、図２に示す展開状態では、基部３から注射針本体２に沿って注射針先端側に延出して注射針本体２を覆う安全カバーとして機能することができる。例えば、本実施形態の羽根部４は、第１ヒンジ部４ａを谷折り、第２ヒンジ部４ｂを山折り、第３ヒンジ部４ｃを谷折りとすることにより、第１板部４ｅ及び第２板部４ｆが前後に重なり合った折り畳み状態で基部３から左右両側方に突出して持ち手として機能する一方、すべてのヒンジ部４ａ、４ｂ、４ｃを直線的に展開させた展開状態では、第１板部４ｅ及び第２板部４ｆが基部３から注射針本体２に沿って注射針先端側に延出して注射針本体２を覆う安全カバーとして機能するようになっている。
【００１３】
羽根部４は、展開状態において注射針本体２の先端部に係合して折り畳み状態への戻りを防止する戻り防止手段を備えることが好ましい。例えば、本実施形態では、羽根部４の先端板部４ｇに、折畳み状態において注射針本体２が貫通する貫通孔４ｈを形成するとともに、該貫通孔４ｈに戻り防止手段として機能するキャップ５を設けている。このキャップ５は、弾性薄板状の部材に貫通孔４ｈの中心を通る複数の切込み５ａを放射状に有しており、羽根部４の折り畳み状態では、図１に示すように、注射針本体２の貫通を弾性変形によって許容する一方、羽根部４の展開状態では、一旦、注射針本体２の先端前方に離間した後、図２に示すように、注射針本体２の先端に係合することで、羽根部４の折り畳み状態への戻りを規制するようになっている。
【００１４】
また、本発明の羽根付き注射針１は、羽根部４の展開操作時に、注射針本体２を羽根部４に対して相対的に後退させる注射針後退手段を備えることが好ましい。その理由は、安全カバー（羽根部４）で覆うべき注射針本体２の実質的な長さを短くし、羽根部４の大型化を回避できるからである。例えば、本実施形態の注射針後退手段は、羽根部４に対して基部３を後退方向にスライド自在に支持するスライド支持部６と、基部３を後退方向に付勢するバネ７と、基部３を非後退位置に係合保持する係合部８とを備え、該係合部８の係合解除に応じて基部３及び注射針本体２を後退させるように構成されている。
【００１５】
スライド支持部６は、基部３の前半部を羽根部４の筒部４ｄで前後スライド自在に支持することにより構成されている。バネ７は、基部３のバネ収容溝３ｂに圧縮状態で収容され、羽根部４の筒部４ｄを前方に向けて付勢しており、言い換えれば、基部３を羽根部４に対して後退させる方向に付勢している。
【００１６】
係合部８は、基部３の前端に形成される係合爪３ｃと、羽根部４の筒部４ｄ前端に形成される係合爪４ｉとで構成され、係合爪３ｃ、４ｉ同士の係合により、羽根部４に対する基部３の後退動作が規制される。このように構成された係合部８は、羽根部４側の係合爪４ｉが弾性変形で外方に開くことにより係合解除されるが、図１に示すように、羽根部４が折畳み状態のときは、係合爪４ｉの外方に折り畳まれた第１板部４ｅが存在するので、係合部８の係合解除が規制されている。一方、図２に示すように、羽根部４が展開操作されると、係合爪４ｉの外方が開放されるので、係合爪４ｉが弾性変形により外方に開いて係合部８の係合が自動的に解除される。これにより、羽根部４が展開操作時には、基部３及び注射針本体２を羽根部４に対して自動的に後退させることが可能になる。なお、基部３及び注射針本体２の後退動作は、基部３の係合爪３ｃが筒部４ｄの後端凸部４ｊに係合した時点で制限されるので、基部３及び注射針本体２が羽根部４から抜け落ちることはない。
【００１７】
つぎに、本発明の実施形態に係る羽根付き注射針１の使用方法について、図１及び図２を参照して説明する。
【００１８】
羽根付き注射針１を人体に穿刺する際は、図１に示すように、基部３から左右外側方に突出する折畳み状態の羽根部４を持ち手として羽根付き注射針１を持ち、注射針本体２の先端側を人体に穿刺する。そして、人体に穿刺した後は、基部３のシリンジ接続口３ａに接続したシリンジの操作により、シリンジ内の薬剤を注射針本体２を介して人体に注入することができる。
【００１９】
使用済みの羽根付き注射針１は、注射針本体２を被覆した状態で破棄される。本発明の実施形態に係る羽根付き注射針１では、注射針本体２を被覆するにあたり、一方の手で羽根部４の筒部を持ちながら、他方の手で羽根部４の板部４ｅ、４ｆを前方に押し出す。前方に押された板部４ｅ、４ｆは、展開しながら注射針本体２に沿って注射針先端側に延出し、注射針本体２を覆う。また、羽根部４を展開操作すると、係合部８の係合が自動的に解除され、基部３及び注射針本体２がバネ７の付勢力で後退する。これにより、注射針本体２の針先が羽根部４の先端部に設けられるキャップ５から抜けて羽根部４内に収容されるとともに、キャップ５が注射針本体２の針先に係合して羽根部４の折り畳み状態への戻りを規制する。以上により、羽根部４が安全カバーとしても確実に機能し、使用済みの羽根付き注射針１を安全に破棄することが可能になる。
【００２０】
叙述の如く構成された本実施形態によれば、注射針本体２と、該注射針本体２の基端部を支持する基部３と、該基部３から左右両側方に突出して持ち手として機能する羽根部４とを備える羽根付き注射針１であって、羽根部４は、ヒンジ部４ａ、４ｂ、４ｃを介して折り畳み自在な板状部材を用いて構成され、折り畳み状態では、基部３から左右両側方に突出して持ち手として機能する一方、展開状態では、基部３から注射針本体２に沿って注射針先端側に延出して注射針本体２を覆う安全カバーとして機能するので、別途安全カバーを設ける場合に比べ、構造の簡略化や部品点数の削減が図れるだけでなく、羽根部４と安全カバーが互いの操作を邪魔するような不都合も解消することができる。
【００２１】
また、羽根部４は、展開状態において注射針本体２の先端部に係合して折り畳み状態への戻りを防止する戻り防止手段（キャップ５）を備えるので、確実に安全カバーとして機能することができる。
【００２２】
また、羽根部４の展開操作時に、注射針本体２を羽根部に対して相対的に後退させる注射針後退手段を備えるので、安全カバー（羽根部４）で覆うべき注射針本体２の実質的な長さを短くすることができ、その結果、羽根部４を安全カバーに兼用するにあたり、羽根部４の大型化を回避できる。
【００２３】
また、注射針後退手段は、羽根部４に対して基部３を後退方向にスライド自在に支持するスライド支持部６と、基部３を後退方向に付勢するバネ７と、基部３を非後退位置に係合保持する係合部８とを備え、該係合部８の係合解除に応じて基部３及び注射針本体２を後退させるので、基部３及び注射針本体２の後退操作が不要になり、羽根部４を安全カバーとして使用する際の操作が簡略になる。
【００２４】
また、係合部８は、羽根部４の展開操作に応じて自動的に係合解除されるので、係合部８の係合解除操作が不要になり、羽根部４を安全カバーとして使用する際の操作が簡略になる。
【００２５】
なお、本発明は、前記実施形態に限定されないことは勿論であって、特許請求の範囲内で種々の変更が可能であることは言うまでもない。例えば、前述した注射針後退手段は、注射針本体が長い場合に有効であり、注射針本体が短い場合は省略してもよい。
【産業上の利用可能性】
【００２６】
本発明は、硬膜外麻酔などに用いられる羽根付き注射針に利用することができる。
【符号の説明】
【００２７】
１  羽根付き注射針
２  注射針本体
３  基部
４  羽根部
５  キャップ
６  スライド支持部
７  バネ
８  係合部
【要約】
【課題】羽根部を安全カバーに兼用して構造の簡略化や部品点数の削減を図るとともに、羽根部と安全カバーが互いの操作を邪魔するような不都合も解消する。
【解決手段】注射針本体２と、該注射針本体２の基端部を支持する基部３と、該基部３から左右両側方に突出して持ち手として機能する羽根部４とを備える羽根付き注射針１であって、羽根部４は、ヒンジ部４ａ、４ｂ、４ｃを介して折り畳み自在な板状部材を用いて構成され、折り畳み状態では、基部３から左右両側方に突出して持ち手として機能する一方、展開状態では、基部３から注射針本体２に沿って注射針先端側に延出して注射針本体２を覆う安全カバーとして機能する。
【選択図】図１【図１】
0005601741.tif 000002
【図２】
0005601741.tif 000003